(57)【要約】【課題】照明の点灯を必要とする者に応じて、照明の点灯・消灯制御を適切に行うことができる照明制御システムを提供する。【解決手段】タイマー設定時刻を経過したときに各部屋１０１に配設された蛍光灯１０２を消灯させる照明制御システムであって、各蛍光灯１０２を消灯させることが可能に構成された各制御装置１０４と、各部屋１０１に入室・退室する社員や来客に所有されると共にこれらの者を識別する所有者ＩＤが記録されたＩＣカード１０５と、各制御装置１０４と通信可能に接続された管理サーバ１１０とを具備し、管理サーバ１１０はＩＣカード１０５の所有者ＩＤと各制御装置１０４の制御装置ＩＤとを取得し、取得した所有者ＩＤが予め設定された除外リストに存在しないならば、当該所有者ＩＤに対応する制御装置ＩＤの制御装置に消灯命令を送信し、当該制御装置は蛍光灯を消灯させる。【選択図】図９
2009009754.tif 000002
【特許請求の範囲】
【請求項１】
所定の時刻を経過したときに施設に配設された照明器具を消灯させる照明制御システムであって、
前記照明器具を消灯させることが可能に構成された制御装置と、
前記施設内に入室・退室する者に所有されると共にこの者を識別する識別子が記録された識別機器とを具備し、
前記制御装置は、前記識別機器の識別子を取得することにより当該識別機器を所有する者が前記施設内に存在すると判断し、前記識別機器を所有する者が前記施設内に存在しない場合は前記施設内の照明器具を消灯させる一方、前記識別機器を所有する者が前記施設内に存在する場合は前記施設内の照明器具を消灯させないことを特徴とする照明制御システム。
【請求項２】
請求項１に記載する照明制御システムにおいて、
前記制御装置には、前記所定の時刻を経過しても照明器具の消灯を行わない対象となる者が所有する識別機器の識別子の集合である除外リストが予め設定されており、
前記制御装置は、前記識別機器を所有する者が前記施設内に存在し、且つ当該識別機器より取得した識別子が前記除外リストに存在するならば、当該施設の照明器具を消灯させないように制御を行う照明制御システム。
【請求項３】
請求項２に記載する照明制御システムにおいて、
前記制御装置及び前記照明器具は複数の施設にそれぞれ配設されていると共に、これらの複数の制御装置と通信可能に接続された管理サーバが配設され、
前記管理サーバは、前記識別機器の識別子と各制御装置に設定されてこれらを一意に識別する制御装置識別子とを各制御装置を介して取得し、
前記各制御装置を介して取得した識別子が前記除外リストに存在するならば、当該識別子と一緒に取得した制御装置識別子により特定される制御装置に消灯命令を送信し、
当該制御装置は、消灯命令を受信したときに照明器具を消灯することを特徴とする照明制御システム。
【請求項４】
請求項１〜請求項３の何れか一項に記載する照明制御システムにおいて、
前記識別機器は、前記識別子が記録されたＩＣチップを内蔵したＩＣカードであることを特徴とする照明制御システム。
【請求項５】
請求項３に記載する照明制御システムにおいて、
前記識別機器は、ＩＰアドレスが設定されたパーソナルコンピュータであり、
前記管理サーバ、前記制御装置、前記パーソナルコンピュータとはＴＣＰ／ＩＰを用いて通信可能に接続されていることを特徴とする照明制御システム。
【発明の詳細な説明】
【技術分野】
【０００１】
本発明は照明制御システムに関し、特に、タイマー設定時刻により照明の消灯を制御する場合に適用して有用なものである。
【背景技術】
【０００２】
企業や工場などでは、施設内の照明を不必要なときには消灯して省エネルギー化を図っている場合がある。例えば、昼休み時や終業時刻経過後などには、タイマー設定時刻により自動的に照明を消灯するなどの制御を行っている。特許文献１には、このような点灯・消灯の制御が可能な照明装置が開示されている。
【０００３】
このように環境に配慮する一方、タイマー設定時刻により自動的に照明が消灯すると不都合が生じる場合もある。例えば終業時刻経過後であっても残業している社員がいる場合や、来客が応接室に在室している場合等である。
【０００４】
特許文献１にある照明装置などには、タイマー設定時刻による消灯前にその旨を通知する手段が備わっており、この通知を受けた社員等がタイマー設定時刻を変更して、予定の消灯を中止させることが可能になっている。しかしながら、このような設定作業は、仕事や来客との応対を中断させるので煩わしいものである。また、来客が予定されている場合は、予めタイマー設定時刻を変更しておくことで来客中の消灯を回避できるが、来客が来訪する都度そのような変更を行わなければならず、これも現実的ではない。
【０００５】
【特許文献１】特開平６−２５１８７８号公報
【発明の開示】
【発明が解決しようとする課題】
【０００６】
本発明は、かかる事情に鑑み、照明の点灯を必要とする者に応じて、照明の点灯・消灯制御を適切に行うことができる照明制御システムを提供することを目的とする。
【課題を解決するための手段】
【０００７】
上記目的を達成するための本発明の第１の態様は、所定の時刻を経過したときに施設に配設された照明器具を消灯させる照明制御システムであって、前記照明器具を消灯させることが可能に構成された制御装置と、前記施設内に入室・退室する者に所有されると共にこの者を識別する識別子が記録された識別機器とを具備し、前記制御装置は、前記識別機器の識別子を取得することにより当該識別機器を所有する者が前記施設内に存在すると判断し、前記識別機器を所有する者が前記施設内に存在しない場合は前記施設内の照明器具を消灯させる一方、前記識別機器を所有する者が前記施設内に存在する場合は前記施設内の照明器具を消灯させないことを特徴とする照明制御システムにある。
【０００８】
かかる第１の態様では、原則として、所定の時刻を経過したら照明器具の消灯を行うことで、省エネルギー化を実現する一方、照明器具の点灯を必要とする者に応じて、所定の時刻になっても照明器具を消灯させずにおくことが可能となる。
【０００９】
本発明の第２の態様は、第１の態様に記載する照明制御システムにおいて、前記制御装置には、前記所定の時刻を経過しても照明器具の消灯を行わない対象となる者が所有する識別機器の識別子の集合である除外リストが予め設定されており、前記制御装置は、前記識別機器を所有する者が前記施設内に存在し、且つ当該識別機器より取得した識別子が前記除外リストに存在するならば、当該施設の照明器具を消灯させないように制御を行う照明制御システムにある。
【００１０】
かかる第２の態様では、識別機器を所持する者のうち、所定の時刻を経過しても照明器具の消灯を行わない対象とする者を区別することができる。これにより、例えば所定の時刻が経過したとき、社員のみが施設に在室している場合は照明器具を消灯し、来客が施設内に在室している場合は照明器具を消灯させないというような制御を実現できる。
【００１１】
本発明の第３の態様は、第２の態様に記載する照明制御システムにおいて、前記制御装置及び前記照明器具は複数の施設にそれぞれ配設されていると共に、これらの複数の制御装置と通信可能に接続された管理サーバが配設され、前記管理サーバは、前記識別機器の識別子と各制御装置に設定されてこれらを一意に識別する制御装置識別子とを各制御装置を介して取得し、前記各制御装置を介して取得した識別子が前記除外リストに存在するならば、当該識別子と一緒に取得した制御装置識別子により特定される制御装置に消灯命令を送信し、当該制御装置は、消灯命令を受信したときに照明器具を消灯することを特徴とする照明制御システムにある。
【００１２】
かかる第３の態様では、複数の制御装置を管理サーバにより集中的に管理することができる。
【００１３】
本発明の第４の態様は、第１〜第３の何れか一つの態様に記載する照明制御システムにおいて、前記識別機器は、前記識別子が記録されたＩＣチップを内蔵したＩＣカードであることを特徴とする照明制御システムにある。
【００１４】
かかる第４の態様では、ＩＣカードを用いて照明器具の消灯を制御することができる。
【００１５】
本発明の第５の態様は、第３の態様に記載する照明制御システムにおいて、前記識別機器は、ＩＰアドレスが設定されたパーソナルコンピュータであり、前記管理サーバ、前記制御装置、前記パーソナルコンピュータとはＴＣＰ／ＩＰを用いて通信可能に接続されていることを特徴とする照明制御システムにある。
【００１６】
かかる第５の態様では、コンピュータのＩＰアドレスを利用して照明器具の消灯を制御することができる。
【発明の効果】
【００１７】
本発明によれば、原則として、所定の時刻を経過したら照明器具の消灯を行うことで、省エネルギー化を実現する一方、照明器具の点灯を必要とする者に応じて、所定の時刻になっても照明器具を消灯させずにおくことが可能となる。この結果、所定の時刻を再設定するなどの煩わしい作業を行うことなく、消費電力の低減を実現することができる。
【発明を実施するための最良の形態】
【００１８】
以下、本発明を実施するための最良の形態について説明する。なお、本実施形態の説明は例示であり、本発明は以下の説明に限定されない。
【００１９】
〈実施形態１〉
図１は、実施形態１に係る照明制御システムの概略構成図である。図示するように、オフィスなどにおける或る部屋１には、照明器具の一例である蛍光灯２が天井照明として設置されている。さらに、部屋１には蛍光灯２の点灯・消灯を切り替える制御装置４が設置されている。また、識別機器の一例であるＩＣカード５を所持している来客が部屋１に入室している。ＩＣカード５は、入館許可証としてこの来客に臨時に付与されたものである。
【００２０】
図２は、実施形態１に係る照明制御システムの機能ブロック図である。ＩＣカード５は、情報（データ）の記録や演算をするためにＩＣチップ１０（集積回路）を組み込んだカードである。ＩＣチップ１０には、少なくともＩＣカード５を所有する者を一意に識別する識別子（以下、「所有者ＩＤ」と称する）が記録されており、アンテナ１１を介して制御装置４に読み取られるようになっている。本実施形態では、この所有者ＩＤは来客を識別するＩＤとなっている。
【００２１】
制御装置４は、内側カードリーダ２０と、外側カードリーダ２１と、制御部２２と、記憶装置２３とを具備している。内側カードリーダ２０は部屋１の内側に設けられており、外側カードリーダ２１は部屋１の外側に設けられている。内側カードリーダ２０及び外側カードリーダ２１は、一般的に用いられるＩＣカードリーダであり、ＩＣカード５から所有者ＩＤを読み取り、制御部２２に当該所有者ＩＤを送信可能になっている。なお、内側カードリーダ２０及び外側カードリーダ２１は接触式・非接触式のどちらでもよい。
【００２２】
制御部２２は、汎用的に用いられるＣＰＵなどで構成されている。制御部２２は、主に、ＩＣカード５の所有者ＩＤの管理と、蛍光灯２の点灯・消灯とを行う。
【００２３】
制御部２２によるＩＣカード５の所有者ＩＤの管理とは、外側カードリーダ２１を介して読み取ったＩＣカード５の所有者ＩＤを記憶装置２３に書き込む一方、内側カードリーダ２０を介して読み取ったＩＣカード５の所有者ＩＤを記憶装置２３から消去することをいう。
【００２４】
制御部２２による蛍光灯２の点灯・消灯とは、予め定められたタイマー設定時刻（所定の時刻）と、記憶装置２３に記憶された所有者ＩＤとに基づいて蛍光灯２の点灯・消灯を行うことをいう。なお、タイマー設定時刻とは、蛍光灯２を消灯する所定の時刻のことをいう。
【００２５】
記憶装置２３は、ＲＡＭやハードディスクなどの記憶媒体である。記憶装置２３は、制御部２２により所有者ＩＤの読み取り・書き込み・消去が可能となっている。
【００２６】
図３は、実施形態１に係る照明制御システムのフローチャートである。図３に示すように、制御装置４の制御部２２は、入室処理、退室処理、及び消灯処理を行う。これらの処理は、順番に行われるわけではなく、それぞれの処理が並列的に行われる。入室処理及び退出処理は、上述した制御部２２によるＩＣカード５の所有者ＩＤの管理を実装したものである。また消灯処理は、上述した制御部２２による蛍光灯２の点灯・消灯を実装したものである。
【００２７】
図４は、実施形態１に係る入室処理のフローチャートである。図示するように、まず、来客が部屋１に入室する際に、その来客は所有するＩＣカード５を外側カードリーダ２１に読み取らせる。このとき外側カードリーダ２１は、所有者ＩＤを読み取り（ステップＳ１−１）、制御部２２に送信する。次に制御部２２は、外側カードリーダ２１からの所有者ＩＤを記憶装置２３に書き込む（ステップＳ１−２）。以降、制御装置４の記憶装置２３に記憶されている所有者ＩＤを「在室所有者ＩＤ」と称する。
【００２８】
なお、本実施形態では、入室に際してＩＣカード５を読み込ませると自動的に蛍光灯２を点灯させるようにしてある。具体的には次のような処理を行う。制御部２２は、蛍光灯２が点灯中であるか否かを判断し（ステップＳ１−３）、点灯していないならば（ステップＳ１−３：Ｎｏ）、蛍光灯２を点灯させる（ステップＳ１−４）。この結果、蛍光灯２は点灯する（ステップＳ１−５）。
【００２９】
図５は、実施形態１に係る退室処理のフローチャートである。来客が部屋１から退室する際には、その来客は所有するＩＣカード５を内側カードリーダ２０に読み取らせる。このとき、図示するように、内側カードリーダ２０は、所有者ＩＤを読み取り（ステップＳ２−１）、制御部２２に送信する。
【００３０】
次に制御部２２は、記憶装置２３に記憶された在室所有者ＩＤのうち、内側カードリーダ２０から読み取った所有者ＩＤと合致するものを記憶装置２３から消去する（ステップＳ２−２）。
【００３１】
入室処理及び退室処理により、記憶装置２３には、部屋１に在室している者が所有するＩＣカード５の所有者ＩＤのみが記憶される。
【００３２】
図６は、実施形態１に係る消灯処理のフローチャートである。図示するように、まず制御部２２は、現在の時刻ｔを取得する（ステップＳ３−１）。そして予め設定されたタイマー設定時刻である消灯時刻Ｔと現在の時刻ｔとを比較し、現在の時刻ｔが消灯時刻Ｔを経過していないならば（ステップＳ３−２：Ｎｏ）、所定時間経過後にステップＳ３−１を繰り返し、経過しているならば（ステップＳ３−２：Ｙｅｓ）、記憶装置２３の在室所有者ＩＤの個数が「０」以上であるか否かを判断する（ステップＳ３−３）。
【００３３】
例えば１名の来客が部屋１に入室したとすると、この消灯処理とは並行して実行される入室処理により、記憶装置２３の在室所有者ＩＤの個数は「１」となっている。よって、記憶装置２３の在室所有者ＩＤの個数が「０」以上であるので（ステップＳ３−３：Ｙｅｓ）、所定時間経過後にステップＳ３−１を繰り返す。この結果、蛍光灯２は消灯されない。
【００３４】
一方、１名の来客が部屋１から退室したとすると、この消灯処理とは並行して実行される退室処理により、記憶装置２３の在室所有者ＩＤの個数は「０」となっている。よって、記憶装置２３の在室所有者ＩＤの個数が「０」であるので（ステップＳ３−３：Ｎｏ）、蛍光灯２を消灯させる（ステップＳ３−４）。この結果、蛍光灯２は消灯する（ステップＳ３−５）。
【００３５】
消灯処理により、部屋１内に来客が在室の場合（ステップＳ３−３：Ｙｅｓ）は、タイマー設定時刻による消灯時刻Ｔのときにおいても蛍光灯２は消灯されない。一方、部屋１内に誰もいない場合（ステップＳ３−３：Ｎｏ）は、タイマー設定時刻により蛍光灯２は消灯される。
【００３６】
以上に説明したように、原則として、タイマー設定時刻による蛍光灯２の消灯を行うことで、省エネルギー化を実現する一方、照明の点灯を必要とする者（本実施形態では部屋に在室している来客）に応じて、タイマー設定時刻になっても蛍光灯２を消灯させずにおくことが可能となる。この結果、タイマー設定時刻等の煩わしい作業を行うことなく、蛍光灯のオン・オフが適宜行われることによる消費電力の低減を実現することができる。
【００３７】
なお、制御部２２は、外側カードリーダ２１を介してＩＣカード５の所有者ＩＤを読み取った際には、ドア３のロックを解除するよう制御してもよい。更に、制御部２２は、内側カードリーダ２０を介してＩＣカード５の所有者ＩＤを読み取って該所有者ＩＤを記憶装置２３から消去した結果、記憶装置２３に所有者ＩＤが一つも記憶されていないことを検出したらドア３をロックするよう制御してもよい。
【００３８】
また、本実施形態１に係る照明制御システムは、部屋１のみならず複数の部屋にそれぞれ設けられてもよい。
【００３９】
〈実施形態２〉
実施形態１に係る照明制御システムでは、来客がＩＣカードを持っている場合について説明したが、実施形態２では、社員も社員証としてＩＣカードを持っており、この両者が混在する場合における照明制御システムについて説明する。なお、実施形態１と同一のものには同一の符号を付し、重複する説明は省略する。
【００４０】
実施形態２に係る照明制御システムの概略構成及び機能ブロックは、実施形態１に係るシステムの概略構成及び機能ブロック（図１、２参照）と同様である。ただし、部屋１には、例えばオフィスの社員と来客とが在室しており、それぞれが別のＩＣカードを有している点が異なっている。例えば社員は２名、来客は１名であり、２名の社員にはＩＣカード５Ａ、５Ｂが社員証として当該社員にそれぞれ付与され、来客にはＩＣカード５Ｘが実施形態１と同様に入館許可証として臨時に付与されているとする。これらのＩＣカード５Ａ、５Ｂ、５Ｘには、表１に示すような所有者ＩＤが記録されている。
【００４１】
【表１】
2009009754.tif 000003
【００４２】
次に、実施形態２に係る照明制御システムでの処理フローを説明する。当該処理フローと実施形態１に係る照明制御システムとの相違点は、消灯処理において制御部２２が除外リストを用いて蛍光灯２の消灯を制御する点である。
【００４３】
除外リストとは、ＩＣカードを所有する者のうち、タイマー設定時刻を経過しても蛍光灯２の消灯を行わない対象となる者が所有するＩＣカードの所有者ＩＤをいう。この対象となる者が複数人であるならば除外リストは複数の所有者ＩＤから構成されることになる。この除外リストは、部屋１の制御装置４の記憶装置２３に予め設定されている。
【００４４】
例えば、昼休みになると、社員のみが部屋１に在室しているときは蛍光灯２を消灯するが、社員と来客が混在して部屋１にいるときは蛍光灯２を消灯しないという制御を行う場合は、表２に示すような除外リストを制御装置４の記憶装置２３に予め設定しておく。
【００４５】
【表２】
2009009754.tif 000004
【００４６】
そして、実施形態１と同様に、入室処理、退室処理及び消灯処理が並行して実行される。なお実施形態２に係る入室処理及び退室処理は実施形態１と同じであるので説明を省略する。
【００４７】
図７は、実施形態２に係る消灯処理のフローチャートである。図７に示すように、まず制御部２２は、現在の時刻ｔを取得する（ステップＳ１１−１）。そして予め設定された消灯時刻Ｔと現在の時刻ｔとを比較し、現在の時刻ｔが消灯時刻Ｔを経過していないならば（ステップＳ１１−２：Ｎｏ）、所定時間経過後にステップＳ１１−１を繰り返し、経過しているならば（ステップＳ１１−２：Ｙｅｓ）、在室所有者ＩＤが除外リストに存在するか否かを判断する（ステップＳ１１−３）。
【００４８】
ここで、例えば２名の社員と１名の来客が部屋１に入室したとすると、この消灯処理とは並行して実行される入室処理により、記憶装置２３は表３に示すような所有者ＩＤ（在室所有者ＩＤ）が記録された状態となる。
【００４９】
【表３】
2009009754.tif 000005
【００５０】
よって、記憶装置２３の在室所有者ＩＤのうち「２０００」の在室所有者ＩＤが除外リストに存在するので（ステップＳ１１−３：Ｙｅｓ）、所定時間経過後にステップＳ１１−１を繰り返す。この結果、蛍光灯２は消灯されない。
【００５１】
一方、１名の来客が部屋１から退室したとすると、この消灯処理とは並行して実行される退室処理により、記憶装置２３は表４に示すような所有者ＩＤ（在室所有者ＩＤ）が記録された状態となる。
【００５２】
【表４】
2009009754.tif 000006
【００５３】
よって、これらの「１０００」「１００１」である在室所有者ＩＤは除外リストに存在しないので（ステップＳ１１−３：Ｎｏ）、蛍光灯２を消灯させる（ステップＳ１１−４）。この結果、蛍光灯２は消灯する（ステップＳ１１−５）。
【００５４】
以上に説明した処理により、部屋１において社員のみが存在する場合は、タイマー設定時刻によって蛍光灯２は自動的に消灯される。一方、社員と来客とが部屋１に混在する場合は、タイマー設定時刻によって蛍光灯２は自動的に消灯されない。このように本実施形態では、或る一つの部屋に来客と社員とが混在しても、これを識別して適切に照明器具の消灯を制御することができる。
【００５５】
〈実施形態３〉
実施形態３では、照明制御システムを複数の部屋にそれぞれ設置し、各部屋の蛍光灯を集中的に管理する場合について説明する。なお、実施形態１及び実施形態２に係る照明制御システムと同一の部分には同一の符号を付し、重複する説明は省略する。
【００５６】
図８は、実施形態３に係る照明制御システムの概略構成図である。図示するように複数の部屋１０１ａ、１０１ｂ、１０１ｃには、照明器具の一例である蛍光灯１０２ａ、１０２ｂ、１０２ｃが天井照明としてそれぞれ設置されている。さらに、各部屋１０１（１０１ａ〜１０１ｃ）には各蛍光灯１０２（１０２ａ〜１０２ｃ）の点灯・消灯を切り替える制御装置１０４ａ、１０４ｂ、１０４ｃがそれぞれ設置されている。さらに、制御室１００には管理サーバ１１０が設置されており、この管理サーバ１１０と各制御装置１０４（１０４ａ〜１０４ｃ）とはＬＡＮスイッチやルータ等（図示せず）を介して通信可能に接続されている。また、部屋１０１ａにはＩＣカード１０５Ｃ、１０５Ｄをそれぞれ所有する２名の社員が在室し、部屋１０１ｂにはＩＣカード１０５Ｅ、１０５Ｆをそれぞれ所有する２名の社員が在室している。そして部屋１０１ｃにはＩＣカード１０５Ｇを所有する１名の社員とＩＣカード１０５Ｙを所有する１名の来客が在室している。これらのＩＣカード１０５には、表４に示すような所有者ＩＤが記録されている。
【００５７】
【表４】
2009009754.tif 000007
【００５８】
図９は、実施形態３に係る照明制御システムの機能ブロック図である。同図では、部屋１０１ａについて、蛍光灯１０２ａ、制御装置１０４ａ、ＩＣカード１０５Ｃの機能ブロックを例示するが、部屋１０１ｂ、１０１ｃの蛍光灯１０２ｂ、１０２ｃ、制御装置１０４ｂ、１０４ｃ、ＩＣカード１０５Ｄ〜Ｇ、Ｙについても同様の構成である。
【００５９】
制御装置１０４ａは、通信装置２４を具備している。制御部２２は、この通信装置２４を介して管理サーバ１１０と所定のデータの送受信が可能になっている。具体的には、制御部２２は、この通信装置２４を介して、内側カードリーダ２０及び外側カードリーダ２１を介して読み取った所有者ＩＤを管理サーバ１１０へ送信するようになっている。このとき、前記所有者ＩＤと共に、各制御装置１０４のうち、制御装置１０４ａを一意に識別する識別子（以下「制御装置ＩＤ」と称する。）も送信するようになっている。この制御装置ＩＤは各制御装置１０４のそれぞれの記憶装置２３に予め設定されている。表５は、制御装置ＩＤの一例である。
【００６０】
【表５】
2009009754.tif 000008
【００６１】
また、制御部２２は、管理サーバ１１０からの蛍光灯１０２ａを消灯させる命令（以下、「消灯命令」と称する。）を受信して蛍光灯１０２ａを消灯するようになっている。なお、制御装置１０４ａの記憶装置２３は、実施形態１とは異なり、制御部２２の一時的な記憶領域として用いられる。
【００６２】
管理サーバ１１０は、ＣＰＵ１１１と、ＲＡＭやハードディスク等の記憶装置１１２と、通信装置１１３とを具備する一般的な情報通信機器である。また、管理サーバ１１０のＣＰＵ１１１は、ハードディスクに格納されたプログラムをＲＡＭに読み込み、このプログラムを実行する。このプログラムは、通信装置１１３を介して各制御装置１０４との間で所有者ＩＤ・制御装置ＩＤの受信を行うと共に、各部屋１０１の各蛍光灯１０２への消灯命令を各制御装置１０４に必要に応じて送信するものである。
【００６３】
管理サーバ１１０と各制御装置１０４とは、実施形態１と同様に、入室処理、退室処理、及び消灯処理を並列的に実行する（図３参照）。これらの処理において、管理サーバ１１０で実行される部分については、プログラムとして実装されている。
【００６４】
実施形態３における管理サーバ１１０によるＩＣカード１０５の所有者ＩＤの管理とは、外側カードリーダ２１を介して読み取った各ＩＣカード１０５の所有者ＩＤを通信装置２４を介して管理サーバ１１０に送信し、内側カードリーダ２０を介して読み取ったＩＣカード１０５の所有者ＩＤを通信装置２４を介して管理サーバ１１０に送信することをいう。
【００６５】
図１０は、実施形態３に係る入室処理のフローチャートである。図示するように、まず、各部屋１に社員又は来客が入室する際に、その社員又は来客は各部屋１の外側カードリーダ２１にそれぞれが所有するＩＣカード１０５を読み取らせる。このとき外側カードリーダ２１は、所有者ＩＤを読み取り（ステップＳ２１−１）、制御部２２に送信する。次に各制御装置１０４の各制御部２２は、外側カードリーダ２１からの所有者ＩＤ及び各制御装置１０４の制御装置ＩＤと、これらのＩＤを追加する旨の情報である追加コマンドとを管理サーバ１１０に送信する（ステップＳ２１−２）。そして管理サーバ１１０は、前記追加コマンドを受信したら、これと一緒に受信した所有者ＩＤ及び制御装置ＩＤを記憶装置１１２に書き込む（ステップＳ２１−３）。
【００６６】
なお、本実施形態では、実施形態１と同様に、入室に際してＩＣカード１０５を読み込ませると自動的に蛍光灯１０２ａを点灯させるようにしてある。具体的には次のような処理を行う。各制御装置１０４の制御部２２は、各蛍光灯１０２が点灯中であるか否かを判断し（ステップＳ２１−４）、点灯していないならば（ステップＳ２１−４：Ｎｏ）、各蛍光灯１０２を点灯させる（ステップＳ２１−５）。この結果、各蛍光灯１０２は点灯する（ステップＳ２１−６）。
【００６７】
図１１は、実施形態３に係る退室処理のフローチャートである。社員又は来客が各部屋１０１から退室する際には、その社員及び来客は内側カードリーダ２０にそれぞれが所有するＩＣカード１０５を読み取らせる。このとき、図示するように、内側カードリーダ２０は、所有者ＩＤを読み取り（ステップＳ２２−１）、制御部２２に送信する。
【００６８】
次に各制御装置１０４の制御部２２は、内側カードリーダ２０からの所有者ＩＤ及び各制御装置１０４の制御装置ＩＤと、これらのＩＤを削除する旨の情報である削除コマンドとを管理サーバ１１０に送信する（ステップＳ２２−２）。そして管理サーバ１１０は、前記削除コマンドを受信したら、これと一緒に受信した所有者ＩＤに合致する在室所有者ＩＤを記憶装置１１２から消去する（ステップＳ２２−３）。
【００６９】
図１２は、実施形態３に係る消灯処理のフローチャートである。図１２に示すように、管理サーバ１１０で前記プログラムが実行される。このプログラムは、まず現在の時刻ｔを取得する（ステップＳ２３−１）。次に予め設定されたタイマー設定時刻である消灯時刻Ｔと現在の時刻ｔとを比較し、この結果、現在の時刻ｔが消灯時刻Ｔを経過していないならば（ステップＳ２３−２：Ｎｏ）、所定時間経過後にステップＳ２３−１を繰り返し、経過しているならば（ステップＳ２３−２：Ｙｅｓ）、在室所有者ＩＤが除外リストに存在するか否かを判断する（ステップＳ２３−３）。
【００７０】
例えば、５名の社員と１名の来客とが各部屋１０１に入室したとすると、この消灯処理とは並行して実行される入室処理により、管理サーバ１１０の記憶装置１１２は表６に示すような所有者ＩＤ（在室所有者ＩＤ）が記録された状態となる。
【００７１】
【表６】
2009009754.tif 000009
【００７２】
表中の各行は、各制御装置１０４から一緒に受信した所有者ＩＤ（在室所有者ＩＤ）及び制御装置ＩＤを表している。入室処理により、管理サーバ１１０の記憶装置１１２には、各部屋１に入室した者が所有する各ＩＣカード１０５の所有者ＩＤが制御装置ＩＤと対応付けられて記録されている。
【００７３】
ここで、管理サーバ１１０の記憶装置１１２に予め除外リストとして「２００１」が設定されているとする。この結果、管理サーバ１１０の記憶装置１１２のうち「２００１」の在室所有者ＩＤが除外リストに存在するので（ステップＳ２３−３：Ｙｅｓ）、当該在室所有者ＩＤ（「２００１」）に対応する制御装置ＩＤ（「３００２」）で特定される制御装置（制御装置１０４ｃ）については消灯命令を送信せずに、所定時間経過後にステップＳ２３−１を繰り返す。
【００７４】
一方、例えば、部屋１ａからＩＣカード１０５Ｃを所有する社員が退室し、部屋１ｂからＩＣカード１０５Ｅを所有する社員が退室したとすると、この消灯処理とは並行して実行される退室処理により、管理サーバ１１０の記憶装置２３は表７に示すような所有者ＩＤ（在室所有者ＩＤ）が記録された状態となる。
【００７５】
【表７】
2009009754.tif 000010
【００７６】
よって、これらの「１００３」「１００５」「１００６」である在室所有者ＩＤは除外リストに存在しないので（ステップＳ２３−３：Ｎｏ）、これらの在室所有者ＩＤに対応する制御装置ＩＤ（「３０００」「３００１」）で特定される各制御装置１０４（制御装置１０４ａ、１０４ｂ）に消灯命令を送信する（ステップＳ２３−４）。この消灯命令を受信した各制御装置１０４は各蛍光灯１０２を消灯させ（ステップＳ２３−５）、この結果、各蛍光灯１０２は消灯する（ステップＳ２３−６）。なお、「１００６」である在室所有者ＩＤは除外リストに存在しないが、「２００１」（部屋１０１ｃに在室する来客の所有者ＩＤ）である在室所有者ＩＤが除外リストに存在しているので、制御装置１０４ｃへは消灯命令は送信されない。
【００７７】
以上に説明した処理により、実施形態２と同様に、各部屋１０１内に来客が在室の場合は、タイマー設定時刻による消灯時刻Ｔのときにおいても各蛍光灯１０２は消灯されない。一方、各部屋１０１に来客が不在の場合は、タイマー設定時刻により各蛍光灯１０２は消灯される。そして、実施形態２とは異なり、除外リストは管理サーバ１１０のみに設定されている。これにより、各部屋１０１の制御装置１０４の記憶装置２３に除外リストを設定する必要がないため、かかる設定作業の負担を軽減して各蛍光灯１０２の消灯を集中的に制御することができる。
【００７８】
また、管理サーバ１１０の記憶装置１１２には、在室所有者ＩＤが記録されているので、各部屋１０１の在室状況を集中的に監視することも可能となる。
【００７９】
〈実施形態４〉
実施形態１〜実施形態３においては、ＩＣカードを所持する社員や来客が在室するか否かに基づいて消灯の制御を行っていた。しかしながら、在室の有無の判定においては、ＩＣカードを用いることに限定されず、例えば各社員が利用するパーソナルコンピュータの電源が投入されているか否かに基づいて判定してもよい。
【００８０】
具体的には、各部屋に配設された複数のコンピュータと、制御室に配設されたサーバとをＴＣＰ／ＩＰによる通信が可能となるようにＬＡＮスイッチやルータ等を介して接続する。また、サーバは、各部屋の蛍光灯などの照明器具を必要に応じて点灯・消灯できるように構成する。
【００８１】
サーバで実行される入室処理としては、一定時間内に各コンピュータにｐｉｎｇパケット（ＩＣＭＰパケット）を送信して、これに対する応答がある否かで各コンピュータの電源の投入の有無を判定する。これによりコンピュータを利用する社員の在室の有無を判定できる。このとき、ＩＣカードの所有者ＩＤに相当するものとして、ｐｉｎｇパケットに応答したコンピュータのＩＰアドレスを用いる。
【００８２】
一方、退室処理としては、ｐｉｎｇパケットに応答しなかったり、複数のｐｉｎｇパケットの全てに対して応答しなかったりした場合、当該ｐｉｎｇパケットの送信先のＩＰアドレスを、サーバの記憶装置から消去する。
【００８３】
入室処理・退室処理により、サーバの記憶装置は、部屋に在室する社員が利用しているコンピュータのＩＰアドレスのみが記憶された状態となる。
【００８４】
一方、サーバで実行される消灯処理としては、除外リストとして、特定のＩＰアドレスを予め設定しておき、入室処理・退室処理により記憶されたＩＰアドレス（以下、「在室ＩＰアドレス」と称する。）が当該特定のＩＰアドレスに存在するか否かを判断することにより、蛍光灯等の消灯を行う。
【００８５】
例えば、在室ＩＰアドレスが「１９２．１６８．２５５．１」であり、これが除外リストに含まれているのならば、タイマー設定時刻を経過したとしても、当該「１９２．１６８．２５５．１」というＩＰアドレスに対応する蛍光灯は消灯しないようにする。一方、前記在室ＩＰアドレスが除外リストに含まれていないならば、タイマー設定時刻を経過したとき、当該「１９２．１６８．２５５．１」というＩＰアドレスに対応する蛍光灯を消灯する。
【００８６】
なお、ＩＰアドレスと蛍光灯との対応は予めサーバに設定しておく。例えば蛍光灯にＩＰアドレスが割当てられており、ＴＣＰ／ＩＰによる通信が可能であるものならば、コンピュータのＩＰアドレスと蛍光灯のＩＰアドレスとを対応付けておく。
【００８７】
以上に説明したような照明制御システムによれば、タイマー設定時刻とＩＰアドレスとに基づいて照明の制御を行うことができる。また、前述したＩＰアドレスと蛍光灯との対応付けは１対１で対応させる場合に限定されず、複数のコンピュータと複数の蛍光灯とを対応付けてもよい。例えば、部屋内の或る島に配設された複数のコンピュータのＩＰアドレス群Ａ１には複数の蛍光灯のＩＰアドレス群Ａ２を対応させ、他の島の複数のコンピュータのＩＰアドレス群Ｂ１には複数の蛍光灯のＩＰアドレス群Ｂ２を対応させる。このようにＩＰアドレスをグループ分けして蛍光灯群と対応付けることで、部屋内のレイアウトを変更しても、この対応付けを変更するだけでよい。つまり、サーバと蛍光灯とを接続する物理的な配線を切り替えることなく、来客スペースの変更等のレイアウト変更に柔軟に対応することができる。
【００８８】
また、サーバが蛍光灯を消去する前に、各コンピュータに蛍光灯を消灯させる旨のメッセージを送信してもよい。また、サーバから蛍光灯を消灯するのみに限定されず、各コンピュータから各蛍光灯を消灯・点灯するようにしてもよい。
【００８９】
〈他の実施形態〉
実施形態１〜３では、社員証としてＩＣカードとカードリーダとを用いたがこれに限定されない。各部屋にいる者が所持し、この者を識別することができる物であるならば、これに限定されない。例えばＩＣカード５に替えて共振タグを用い、カードリーダに替えてスキャナを用いてもよい。共振タグは固有の周波数（ＩＤ）を有しており、スキャナにより発せられる所定の電磁波を受信すると、これに対応する電磁波を発信するので、スキャナは前記固有の周波数を取得できる。この固有の周波数を所有者ＩＤに相当する情報として扱うことにより、上述したような蛍光灯の制御を行うことができる。
【００９０】
その他にも赤外線発信機と受信機とを用いてもよいし、無線ＬＡＮを用いてもよい。また電子名刺を用いてもよい。電子名刺とは、携帯型電子端末の一種であり、各社員が所持するものである。図１３は、電子名刺の平面図及び側面図である。図示するように、電子名刺３００は、入力装置として名刺等を読み取るスキャナ３０１を具備している。また側面にはスキャナ３０１を作動させる３０２が設けられている。他にデータ入力のために、メモリスロット３０３が設けられている。一方、出力装置として、液晶画面３０４が設けられており、各種情報や読み取った名刺が表示される。また液晶画面３０４に表示された情報をスクロールするためのスクロールボタン３０５が設けられている。そして赤外線発信機３０６から所定の信号が赤外線として発信され、制御装置を介して照明器具の点灯・消灯を行うことができる。なお符号「３０７」は電源スイッチである。
【図面の簡単な説明】
【００９１】
【図１】実施形態１に係る照明制御システムの概略構成図である。
【図２】実施形態１に係る照明制御システムの機能ブロック図である。
【図３】実施形態１に係る照明制御システムのフローチャートである。
【図４】実施形態１に係る入室処理のフローチャートである。
【図５】実施形態１に係る退室処理のフローチャートである。
【図６】実施形態１に係る消灯処理のフローチャートである。
【図７】実施形態２に係る消灯処理のフローチャートである。
【図８】実施形態３に係る照明制御システムの概略構成図である。
【図９】実施形態３に係る照明制御システムの機能ブロック図である。
【図１０】実施形態３に係る入室処理のフローチャートである。
【図１１】実施形態３に係る退室処理のフローチャートである。
【図１２】実施形態３に係る消灯処理のフローチャートである。
【図１３】電子名刺の平面図及び側面図である。
【符号の説明】
【００９２】
１、１０１ａ、１０１ｂ、１０１ｃ            部屋
２、１０２ａ、１０２ａ、１０２ｃ            蛍光灯
４、１０４ａ、１０４ｂ、１０４ｃ            制御装置
５、１０５Ｃ−Ｇ、１０５Ｘ−Ｙ            ＩＣカード
１０            ＩＣチップ
１１            アンテナ
２０            内側カードリーダ
２１            外側カードリーダ
２２            制御部
２３            記憶装置
２４            通信装置
１００            制御室
１１０            管理サーバ
１１２            記憶装置
１１３            通信装置
３００            電子名刺
【図１】
2009009754.tif 000011
【図２】
2009009754.tif 000012
【図３】
2009009754.tif 000013
【図４】
2009009754.tif 000014
【図５】
2009009754.tif 000015
【図６】
2009009754.tif 000016
【図７】
2009009754.tif 000017
【図８】
2009009754.tif 000018
【図９】
2009009754.tif 000019
【図１０】
2009009754.tif 000020
【図１１】
2009009754.tif 000021
【図１２】
2009009754.tif 000022
【図１３】
2009009754.tif 000023